(57)【要約】【課題】しっかり把持することができるとともに、姿勢の調整が容易に行える手持ち式電動工具を提供する。【解決手段】前端部に位置する駆動軸に工具２が取り付け可能に構成された工具部３と、工具部３から直線状に後方に延びて工具２を駆動する駆動部を収容可能なハウジング５とを備え、駆動軸を略鉛直方向とする第１姿勢と駆動軸を略水平方向とする第２姿勢とで使用可能な手持ち式電動工具であって、ハウジング５が、前側に位置する前側把持部６と、後側に位置する後側把持部７とを備え、前側把持部６及び後側把持部７のうちの一方の把持部の外形が、略円形に構成され、他方の把持部に、第１姿勢又は第２姿勢で使用する際に、水平方向又は鉛直方向で対向するような一対の目印２９，２９を備えている。【選択図】図２
2017007001.tif 000002
【特許請求の範囲】
【請求項１】
前端部に位置する駆動軸に工具が取り付け可能に構成された工具部と、該工具部から直線状に後方に延びて前記工具を駆動する駆動部を収容可能なハウジングとを備え、前記駆動軸を略鉛直方向とする第１姿勢と該駆動軸を略水平方向とする第２姿勢とで使用可能な手持ち式電動工具であって、
前記ハウジングが、前側に位置する前側把持部と、後側に位置する後側把持部とを備え、前記前側把持部及び前記後側把持部のうちの一方の把持部の外形が、略円形に構成され、前記他方の把持部に、前記第１姿勢又は第２姿勢で使用する際に、水平方向又は鉛直方向で対向するような一対の目印を備えていることを特徴とする手持ち式電動工具。
【請求項２】
前記前側把持部の外形が、略円形に構成され、前記後側把持部に前記一対の目印を備えていることを特徴とする請求項１に記載の手持ち式電動工具。
【請求項３】
前記一対の目印が、一対の略平面から構成されていることを特徴とする請求項１又は２に記載の手持ち式電動工具。
【請求項４】
前記一対の略平面同士の距離が、前記略円形に構成された一方の把持部の直径の寸法と略等しいことを特徴とする請求項１〜３のうちのいずれか１項に記載の手持ち式電動工具。
【請求項５】
前記一対の略平面の対向方向に直交する方向で対向する一対の対向面が、直交する方向における径外方向に凸となる湾曲面から構成され、前記一対の対向面の対向頂部間の距離が、前記略円形に構成された一方の把持部の直径の寸法と略等しいことを特徴とする請求項４に記載の手持ち式電動工具。
【発明の詳細な説明】
【技術分野】
【０００１】
本発明は、前端部に位置する駆動軸に工具が取り付け可能に構成された工具部と、工具部から後方に延びて工具部を駆動する駆動部を収容可能なハウジングとを備えた手持ち式電動工具に関する。
【背景技術】
【０００２】
上記手持ち式電動工具としては、例えばディスクグラインダが挙げられる。このディスクグラインダは、前端部に位置する駆動軸に砥石が取り付け可能に構成された工具部と、工具部から後方に延びて砥石を駆動する駆動部を収容可能なハウジングとを備えている。そして、前記ハウジングは、手で持つことができる把持部に構成され、その把持部の外形が、その前端から後端まで同一直径の円形に構成されている（例えば、特許文献１参照）。
【０００３】
上記のような前端から後端まで同一直径の円形に構成された把持部を持って作業する際、力を入れて把持部を握ることができるから、把持部をしっかり持って安定した作業が行える。
【先行技術文献】
【特許文献】
【０００４】
【特許文献１】特開２０１４−１３３２７７号公報
【発明の概要】
【発明が解決しようとする課題】
【０００５】
ところで、上記ディスクグラインダは、駆動軸を略鉛直方向にして砥石を横向きで回転させて対象物を研削（又は切削）する第１姿勢（グラインダ姿勢）と駆動軸を略水平方向にして砥石を縦向きで回転させて対象物を切断する第２姿勢（切断姿勢）とを選択して使用することができる。
【０００６】
しかしながら、選択した一方の姿勢で作業をする際に、円形の把持部を持ってもディスクグラインダの姿勢を把握できないため、目視でのみディスクグラインダの姿勢を調整しなければならない。例えば、上記第２姿勢で対象物を切断する場合には、切断面が真っ直ぐになるように砥石を対象物に略垂直方向から当てながら切断したいのであるが、上記同一直径の円形の把持部を持っても、対象物に対する砥石の方向を把握することができない。そのため、対象物に対して砥石が略垂直方向となっている状態を常に目視により確認しながら切断作業を行わなければならず、大きな労力を要するものであり、改善の余地があった。
【０００７】
そこで、本発明は、かかる事情に鑑みてなされたもので、しっかり把持することができるとともに、姿勢の調整が容易に行える手持ち式電動工具を提供することを課題とする。
【課題を解決するための手段】
【０００８】
本発明に係る手持ち式電動工具は、前端部に位置する駆動軸に工具が取り付け可能に構成された工具部と、該工具部から直線状に後方に延びて前記工具を駆動する駆動部を収容可能なハウジングとを備え、前記駆動軸を略鉛直方向とする第１姿勢と該駆動軸を略水平方向とする第２姿勢とで使用可能な手持ち式電動工具であって、前記ハウジングが、前側に位置する前側把持部と、後側に位置する後側把持部とを備え、前記前側把持部及び前記後側把持部のうちの一方の把持部の外形が、略円形に構成され、前記他方の把持部に、前記第１姿勢又は第２姿勢で使用する際に、水平方向又は鉛直方向で対向するような一対の目印を備えていることを特徴とする。
【０００９】
本発明によれば、前側把持部及び後側把持部のうちの他方の把持部に、一対の目印を備えているので、把持部を把持したときの手の感触で、一対の目印を容易に把握することができる。そのため、一対の目印が略水平方向又は略鉛直方向で対向するように把持部を把持するだけで、第１姿勢又は第２姿勢を容易に調整することができる。また、一方の略円形に構成された把持部を把持するので、把持部をしっかり握って安定した作業が行える。
【００１０】
また、本発明に係る手持ち式電動工具は、前記前側把持部の外形が、略円形に構成され、前記後側把持部に前記一対の目印を備えていることが好ましい。
【００１１】
かかる構成によれば、工具部に近い略円形の前側把持部を一方の手で握って作業を安定よく行いながらも、後側把持部の一対の目印を他方の手の感触で確認して容易に姿勢の調整を行うことができるので、第１姿勢又は第２姿勢を確実に維持して作業を良好に行うことができる。
【００１２】
また、本発明に係る手持ち式電動工具は、前記一対の目印が、一対の略平面から構成されていることが好ましい。
【００１３】
かかる構成によれば、一対の目印が、一対の略平面から構成されていれば、例えば凹凸模様や多数の突起を表面に設けた構成に比べて、把持した時の把持部の方向が手の感触で得られやすく、第１姿勢又は第２姿勢をより一層容易に維持することができる。
【００１４】
また、本発明に係る手持ち式電動工具は、前記一対の略平面同士の距離が、前記略円形に構成された一方の把持部の直径の寸法と略等しいことが好ましい。
【００１５】
かかる構成によれば、一対の略平面同士の距離が、一方の把持部の円形の直径の寸法と略等しいことにより、一方の把持部の太さと他方の把持部の太さに大きな差がなく、前側把持部と後側把持部とを把持したときの違和感が少なく、操作性において有利になる。
【００１６】
また、本発明に係る手持ち式電動工具は、前記一対の略平面の対向方向に直交する方向で対向する一対の対向面が、直交する方向における径外方向に凸となる湾曲面から構成され、前記一対の対向面の対向頂部間の距離が、前記略円形に構成された一方の把持部の直径の寸法と略等しいことが好ましい。
【００１７】
かかる構成によれば、一対の略平面の対向方向に直交する方向で対向する一対の対向面が、直交する方向における径外方向に凸となる湾曲面から構成され、かつ、一対の対向面の対向頂部間の距離が、略円形に構成された一方の把持部の直径の寸法と略等しく構成されていれば、大型化を抑制しつつ、把持し易い後側把持部とすることができる。
【発明の効果】
【００１８】
以上の如く、本発明によれば、前側把持部及び後側把持部のうちの一方の外形を略円形に構成し、他方の把持部に一対の目印を備えるだけで、しっかり把持することができるとともに、姿勢の調整が容易に行える手持ち式電動工具を提供することができる。
【図面の簡単な説明】
【００１９】
【図１】本発明の一実施形態に係る手持ち式電動工具の斜視図を示す。
【図２】同手持ち式電動工具の平面図を示す。
【図３】同手持ち式電動工具の側面図を示す。
【図４】図２におけるＡ−Ａ線断面図を示す。
【図５】図２におけるＢ−Ｂ線断面図を示す。
【図６】（ａ）は手持ち式電動工具を第１姿勢にした状態を示し、（ｂ）は手持ち式電動工具を第２姿勢にした状態を示している。
【図７】（ａ）は図３におけるＣ−Ｃ線断面図、（ｂ）は図３におけるＤ−Ｄ線断面図を示し、（ｃ）は後側把持部を後側から見た概略図である。
【図８】前側把持部を一方の手で把持し後側把持部を他方の手で把持した状態の斜視図である。
【図９】（ａ），（ｂ），（ｃ）は３つの別の形態の後側把持部を後側から見た概略図である。
【発明を実施するための形態】
【００２０】
以下、本発明に係る手持ち式電動工具の一実施形態について、図面に基づいて説明する。図１〜図３に、手持ち式電動工具に工具が装着された工具付き電動工具としてのディスクグラインダ（ディスクサンダともいう）１を示している。このディスクグラインダ１は、工具としての砥石２と、工具を装着可能に構成された手持ち式電動工具とを備える。手持ち式電動工具は、安全カバー２Ａを有する工具部３と、工具部３から直線状に後方に延びて砥石２を駆動する駆動部４（図４参照）を収容可能なハウジング５とを備えている。
【００２１】
ハウジング５は、工具部３側に連結される前側に位置する前側把持部６と、前側把持部６の後端に連結される後側に位置する後側把持部７とを備えて構成されている。
【００２２】
図４に示すように、前側把持部６内に、砥石２を回転させるための駆動源となるブラシモータ８が収容されている。前側把持部６の前端には、インナーケースを介して工具部３を構成するギヤケース１０が連結されている。また、前側把持部６の前端部内には、ファンケーシング９が配置されており、そのファンケーシング９が冷却ファン１１の外周を覆っている。冷却ファン１１は、ブラシモータ８の軸１２に一体回転するように取り付けられている。従って、ブラシモータ８の軸１２が回転して、冷却ファン１１が回転することによって、後述する後側に設けられた上下一対のフィルターカバー１３，１３を通して外気（ハウジング５外の空気）を取り込む。そして取り込んだ外気をノイズ対策用のコンデンサ１４、整流子１５、ブラシモータ８等に当てて冷却し、その冷却した後の外気を前端側から排出している。ここでは、ブラシモータ８を用いているため、ブラシを収容する収容空間が必要となる。このため、図１〜図３に示すように、前側把持部６と後側把持部７の連結部付近において前側把持部６と後側把持部７とを左右方向外側に突出させることによって収容空間を形成している。
【００２３】
ギヤケース１０内には、後端部側から、ブラシモータ８の軸１２の前端部を回転支持するベアリング１６と、ブラシモータ８の軸１２の前端に一体回転するように取り付けられるピニオンギヤ１７とを備えている。このピニオンギヤ１７に噛み合うベベルギヤ１８が、ギヤケース１０内に縦向きに上下一対のベアリング１９，２０を介して支持される駆動軸２１の上端部に一体回転するように取り付けられている。駆動軸２１の下端部に砥石２（図４では図示を省略）が上下のフランジ２２とナット２３で挟まれた状態で取り付けられる。従って、ブラシモータ８の軸１２が回転することによって、軸１２の回転力がピニオンギヤ１７、ベベルギヤ１８に伝達されて駆動軸２１に伝達され、砥石２が回転する。
【００２４】
後側把持部７は、図１〜図４に示すように、上下一対の半割のテールカバー２４，２５を備え、その後壁にＯＮ−ＯＦＦスイッチ２６（図４のみ図示）備えるとともに電源コード２７が後壁を貫通している。また、後側把持部７の上下には、多数の空気取込孔１３Ａが形成されたフィルターカバー１３，１３が、着脱自在に取り付けられている。図４及び図５に示すように、各フィルターカバー１３の内面とこれに対応するテールカバー２４又は２５の外面との間の隙間に、メッシュ状のフィルター２８が配置されており、後側把持部７内への外気取込み時に塵埃が入り込むことがないようにしている。
【００２５】
前記構成のディスクグラインダ１は、図６（ａ）に示すように、駆動軸２１（図４参照）を略鉛直方向にして砥石２を横向きとする第１姿勢（対象物Ｚに対して砥石２を寝かせた姿勢）と図６（ｂ）に示すように、駆動軸２１（図４参照）を略水平方向にして砥石２を縦向きとする第２姿勢（対象物Ｚに対して砥石２を立てた姿勢）とで使用可能である。従って、第１姿勢にすることによって、対象物Ｚを砥石２で研削（又は切削）することができ、また、第２姿勢にすることによって、対象物Ｚを砥石２で切断することができる。尚、図６（ｂ）の第２姿勢の時には、安全カバー２Ａが砥石２の上方を覆うように安全カバー２Ａの取付角度を調節する。
【００２６】
第１姿勢での研削（又は切削）時や第２姿勢での切断時に、姿勢を確実に維持できるように、前側把持部６及び後側把持部７の外形を工夫しており、それら把持部６，７の外形について説明する。
【００２７】
図７（ａ）に示すように、前側把持部６は、前端側から後端側にかけて同一直径からなる円形に構成されている。このように前側把持部６の外形を、円形に構成することによって、持ちやすくなるので、前側把持部６をしっかり把持することができる。これにより、第１姿勢又は第２姿勢での作業を安定良く行うことができる。前側把持部６の外面には、前後方向に延びるように周方向の複数箇所に形成された凸部６Ａ及び凹凸部６Ｂが形成されている。ここでは、前側把持部６の外形を、同一半径で描かれる円形としているが、円周方向の一部で僅かに異なる半径で描かれる非円形状のものであってもよく、それらを総称して略円形とする。
【００２８】
図７（ｂ）に示すように、後側把持部７は、第１姿勢又は第２姿勢で使用する際に、砥石２の姿勢が手の感触で把握できるように鉛直方向（水平方向でもよい）で対向するような一対の目印２９，２９を備えている。特に、第２姿勢は、対象物Ｚに対して砥石２を立てた姿勢が目視での把握がし難く、一対の目印２９，２９が有効となる。
【００２９】
一対の目印２９，２９は、一対の略平面から構成されており、凹凸模様や多数の突起を表面に設けた構成に比べて、把持した時の把持部の方向が手の感触で得られやすく、第１姿勢だけでなく、砥石２を縦向きとする第２姿勢を調整することや維持することがより一層容易にできる。目印２９を略平面としているのは、図７（ｂ）に示すように、目印２９，２９が僅かに外側に突出するような湾曲面となっているからであるが、平面として構成することも可能である。すなわち、目印は、これら概ね平面とみなせるような外形であればよい。図７（ｃ）では、後側把持部７を後側から見たときの前側把持部６の外形（破線で示している）と後側把持部７の外形（実線で示している）とを描くとともに、両者６，７の外形の違いを分かり易くするために図７（ａ），（ｂ）の複数の凸部６Ａ及び複数の凹凸部６Ｂを省略するとともに目印２９，２９を平面にした図にしている。
【００３０】
一対の略平面２９，２９同士の距離Ｌ１（図７（ｂ），（ｃ）参照）が、前側把持部６の円形の直径ｄ（図７（ａ），（ｃ）参照）の寸法と略等しくなっている（等しくてもよい）。このように、一対の略平面２９，２９同士の距離Ｌ１が、前側把持部６の円形の直径ｄの寸法と略等しいことにより、前側把持部６の太さと後側把持部７の太さに大きな差がなく、前側把持部６と後側把持部７とを把持したときの違和感が少なく、操作性において有利になる。
【００３１】
また、図７（ｂ），（ｃ）では、前記一対の略平面２９，２９の対向方向に直交する方向の対向面３０Ｂ，３０Ｂが、直交する方向における径外方向に凸となる湾曲面に形成され、その湾曲面は、前側把持部６の円形よりも大きな曲率を有する湾曲面に構成されている。また、対向面３０Ｂ，３０Ｂの対向頂部（湾曲面における直交する方向の頂部、つまり最外径となる部分）間の距離Ｌ２が、前側把持部６の円形の直径ｄの寸法と略等しくなっている（等しくてもよい）。前記のように、一対の略平面２９，２９の対向方向に直交する方向の対向面（図では上下方向での対向面）３０Ｂ，３０Ｂが、前側把持部６の円形よりも大きな曲率を有する湾曲面から構成されていれば、前側把持部６のような円形に構成した場合に比べて、後側把持部７の内部空間を多く確保することができる。具体的には、図７（ｃ）に示す上側の左右端部及び下側の左右端部の４箇所に利用可能なスペース３１，３１，３２，３２を確保することができる。しかも、対向面３０Ｂ，３０Ｂの対向頂部間の距離Ｌ２が、前側把持部６の円形の直径ｄの寸法と等しく（又は略等しく）することで、後側把持部７が大型化することを抑制でき、把持し易い後側把持部７とすることができる。
【００３２】
前記のように図７（ｃ）に示す上側の左右端部及び下側の左右端部にスペース３１，３１，３２，３２を確保することによって、図５に示すように、前記フィルター２８及びフィルターカバー１３を上下に配置することが容易に実現できる。
【００３３】
このように構成されたディスクグラインダ１を実際に両手で把持した状態を図８に示している。図８では、ディスクグラインダ１を第２姿勢にした時（砥石２を矢印Ｗ１方向に押し付けて対象物を切断する時）に、一対の略平面２９，２９が上下方向で対向する位置にある。右手で円形の前側把持部６をしっかりと握って作業を安定よく行いつつ、左手で後側把持部７を握って左手の指が一対の略平面２９，２９に接触することで、上下に平面が位置していることを確実に把握することができる。しかも、図７（ｃ）で示す後側把持部７の左右の側面である対向面（湾曲面）３０Ｂ，３０Ｂと一対の略平面２９，２９とが繋がる部分、つまり曲率が変わる４つの変曲部３３，３３，３３，３３の少なくとも１つに左手の掌側（特に指）が接触することによって、より一層一対の略平面２９，２９の位置を他の部分と明確に識別することができる。なお、ディスクグラインダ１を第１姿勢で使用する場合も同様である。
【００３４】
尚、本発明に係る手持ち式電動工具は、上記実施形態に限定されるものではなく、本発明の要旨を逸脱しない範囲で種々の変更が可能である。
【００３５】
例えば、図９（ａ）に示すように、後側把持部７の一対の略平面２９，２９同士の距離Ｌ３を、前側把持部６の円形の直径ｄの寸法よりも僅かに短くして実施してもよい。他の部分は、図７（ｃ）と同じである。また、図９（ｂ）に示すように、後側把持部７の一対の略平面２９，２９同士の距離Ｌ４を、前側把持部６の円形の直径ｄの寸法よりも僅かに長くして実施してもよい。他の部分は、図７（ｃ）と同じである。また、図９（ｃ）に示すように、後側把持部７の対向面（図では上下の対向面）３０Ｂ，３０Ｂの対向頂部間の距離Ｌ５を、前側把持部６の円形の直径ｄの寸法よりも長くして実施してもよい。他の部分は、図７（ｃ）と同じである。
【００３６】
前記実施形態では、一対の目印２９，２９を一対の略平面から構成した方が把持した時の把持部の方向を手の感触で捉え易いが、凹凸模様や多数の突起を表面に設けて実施することもできる。
【００３７】
また、前記実施形態では、一対の目印２９，２９を後側把持部７に設けたが、前側把持部６に一対の目印２９，２９を設けて実施してもよい。また、一対の平面２９，２９を設ける位置を、後側把持部７の左右の側面に設けたが、上下の側面に設けてもよい。また、前側把持部６に一対の平面２９，２９を設ける場合には、前側把持部６の左右の側面又は上下の側面のうちの一方に設けて実施してもよい。
【００３８】
また、前記実施形態では、手持ち式電動工具として、ディスクグラインダを示したが、第１姿勢と第２姿勢とで使用できる手持ち式電動工具であれば、どのような構成であってもよい。尚、ディスクグラインダに備えるモータとしてブラシモータを用いたが、ブラシレスモータを用いてもよい。
【符号の説明】
【００３９】
１…ディスクグラインダ、２…砥石（工具）、２Ａ…安全カバー、３…工具部、４…駆動部、５…ハウジング、６…前側把持部、７…後側把持部、６Ａ…凸部、６Ｂ…凹凸部、８…ブラシモータ、９…ファンケーシング、１０…ギヤケース、１１…冷却ファン、１２…軸、１３…フィルターカバー、１３Ａ…空気取込孔、１４…コンデンサ、１５…整流子、１６，１７…ベアリング、１７…ピニオンギヤ、１８…ベベルギヤ、１９，２０…ベアリング、２１…駆動軸、２２…フランジ、２３…ナット、２４，２５…テールカバー、２６…スイッチ、２７…電源コード、２８…フィルター、２９…目印（略平面）、３０Ｂ…対向面、３１，３２…スペース、３３…変曲部、Ｚ…対象物
【図１】
2017007001.tif 000003
【図２】
2017007001.tif 000004
【図３】
2017007001.tif 000005
【図４】
2017007001.tif 000006
【図５】
2017007001.tif 000007
【図６】
2017007001.tif 000008
【図７】
2017007001.tif 000009
【図８】
2017007001.tif 000010
【図９】
2017007001.tif 000011